(57)【要約】【課題】洗面所やトイレ等にて使用される手乾燥装置において、手に付着した水滴を吸引ノズルで吸引することにより水滴の飛散を防止するとともに、前記吸引ノズルを清潔に保つことができる手乾燥装置を提供することを目的とする。【解決手段】本体内部に設けた吸引手段２と、前記吸引手段２に接続した風路３と、前記風路３に接続した吸引ノズル４と、前記吸引ノズル４を清潔に保つ清掃手段５を有し、前記吸引手段２を動作させ、前記吸引ノズル４より手の表面に付着した水滴を吸引することにより、水滴の飛散を抑制するとともに、前記清掃手段５を動作することにより、前記吸引ノズル４を清潔に保つことできる手乾燥装置１が得られる。【選択図】図１
2007229354.tif 000002
【特許請求の範囲】
【請求項１】
本体内部に設けた吸引手段と、前記吸引手段に接続した風路と、前記風路に接続した吸引ノズルと、前記吸引ノズルを清潔に保つ清掃手段を設け、前記吸引ノズルより手の表面に付着した水滴を吸引することができるとともに、前記清掃手段により、前記吸引ノズルを清潔に保つことができることを特徴とした手乾燥装置。
【請求項２】
吸引ノズル近傍に水吹出し口を有した請求項１記載の手乾燥装置。
【請求項３】
吸引ノズル近傍に空気吹出し口を有した請求項１記載の手乾燥装置。
【請求項４】
吸引ノズルの形状をベルト回転式にした請求項１から３のいずれかに記載の手乾燥装置。
【請求項５】
吸引ノズルを消毒する消毒槽を設けた請求項４記載の手乾燥装置。
【請求項６】
吸引ノズルの表面に撥水処理を施した請求項１から５のいずれかに記載の手乾燥装置。
【請求項７】
吸引ノズルの表面に抗菌処理を施した請求項１から６のいずれかに記載の手乾燥装置。
【請求項８】
吸引ノズル近傍にオゾン発生装置を設けたことを特徴とした請求項１から７のいずれかに記載の手乾燥装置。
【請求項９】
吸引ノズル近傍にマイナスイオン発生装置を設けたことを特徴とした請求項１から７のいずれかに記載の手乾燥装置。
【請求項１０】
風路内部にオゾン発生装置を設けたことを特徴とした請求項１から９のいずれかに記載の手乾燥装置。
【請求項１１】
風路内部にマイナスイオン発生装置を設けたことを特徴とした請求項１から９のいずれかに記載の手乾燥装置。
【請求項１２】
風路内部に殺菌灯を設けたことを特徴とした請求項１から９のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、高圧空気流により手の水滴を飛ばし、乾燥させるものが知られていた（例えば特許文献１参照）。
【０００３】
以下、その手乾燥装置について図１３を参照しながら説明する。
【０００４】
図に示すように、手乾燥装置１０１は本体内部に設けた高圧空気発生手段１０２と、前記高圧空気発生手段１０２に接続する排気ダクト１０３と、前記排気ダクト１０３に接続する吹出ノズル１０４と、前記吹出ノズル１０４下部に手挿入部１０５と、前記手挿入部１０５の下部に水受け部１０６を有し、前記高圧空気発生手段１０２を動作させることにより、吹出ノズル１０４より高圧空気を吹出し、手に付着した水滴を吹き飛ばし、手を乾燥させるものである。
【特許文献１】特開平６−６２９７７号公報（段落番号００３１、図１）
【発明の開示】
【発明が解決しようとする課題】
【０００５】
このような従来の手乾燥装置の方法では、高圧空気により吹き飛ばされた水滴が飛散して衣服や床に付着してしまうとともに、吹出しノズルや本体表面に手を洗った水が付着して不清潔になるという課題があった。
【０００６】
本発明は、上記従来の課題を解決するもので、手に付着した水滴を吸引することにより水滴の飛散を抑制するとともに、吸引ノズルを清掃することにより清潔に保つことができる手乾燥装置を提供することを目的としている。
【課題を解決するための手段】
【０００７】
本発明の手乾燥装置は、上記目的を達成するために、本体内部に設けた吸引手段と、前記吸引手段に接続した風路と、前記風路に接続した吸引ノズルと、前記吸引ノズルを清潔に保つ清掃手段を有する構成としたものである。
【０００８】
この手段により、吸引手段を動作させ、吸引ノズルより手の表面に付着した水滴を吸引することにより、水滴の飛散を抑制するともに、清掃手段を動作させることにより、前記吸引ノズルを清潔に保つことできる手乾燥装置が得られる。
【０００９】
また、吸引ノズル近傍に水吹出し口を有する構成としたものである。
【００１０】
この手段により、水吹出し口より水を吹出しながら清掃手段を動作させ、吸引ノズルを清掃し、前記吸引ノズルを清潔に保つことできる手乾燥装置が得られる。
【００１１】
また、吸引ノズル近傍に空気吹出し口を有する構成としたものである。
【００１２】
この手段により、空気吹出し口より空気を吹出しながら清掃手段を動作させ、吸引ノズルを清掃し、前記吸引ノズルを清潔に保つことできる手乾燥装置が得られる。
【００１３】
また、吸引ノズルの形状をベルト回転式にしたものである。
【００１４】
この手段により、前記吸引ノズルを回転させながら清掃手段を動作させ、前記吸引ノズルを清掃し、前記吸引ノズルを清潔に保つことできる手乾燥装置が得られる。
【００１５】
また、吸引ノズルの形状をベルト回転式にし、前記吸引ノズルを消毒する消毒槽を設けた構成としたものである。
【００１６】
この手段により、吸引ノズルを消毒し、清潔に保つことができる手乾燥装置が得られる。
【００１７】
また、吸引ノズルの表面に撥水処理を施したものである。
【００１８】
この手段により、吸引ノズルに水分が付着しにくくなり、前記吸引ノズルを清潔に保つことができる手乾燥装置が得られる。
【００１９】
また、吸引ノズルの表面に抗菌処理を施したものである。
【００２０】
この手段により、吸引ノズルに細菌が繁殖し難くなり、前記吸引ノズルを清潔に保つことができる手乾燥装置が得られる。
【００２１】
また、吸引ノズル近傍にオゾン発生装置を設けたものである。
【００２２】
この手段により、オゾンを発生させ、細菌が繁殖し難くなり、吸引ノズルを清潔に保つことができる手乾燥装置が得られる。
【００２３】
また、吸引ノズル近傍にマイナスイオン発生装置を設けたものである。
【００２４】
この手段により、マイナスイオンを発生させ、細菌が繁殖し難くなり、吸引ノズルを清潔に保つことができる手乾燥装置が得られる。
【００２５】
また、風路内部にオゾン発生装置を設けたものである。
【００２６】
この手段により、オゾンを発生させることにより細菌が繁殖し難くなり、風路内部を清潔に保つことができる手乾燥装置が得られる。
【００２７】
また、風路内部にマイナスイオン発生装置を設けたものである。
【００２８】
この手段により、マイナスイオンを発生させることにより細菌が繁殖し難くなり、風路内部を清潔に保つことができる手乾燥装置が得られる。
【００２９】
また、風路内部に殺菌灯を設けたものである。
【００３０】
この手段により、紫外線を照射することにより細菌が繁殖し難くなり、風路内部を清潔に保つことができる手乾燥装置が得られる。
【発明の効果】
【００３１】
本発明によれば、本体内部に設けた吸引手段と、前記吸引手段に接続した風路と、前記風路に接続した吸引ノズルと、前記吸引ノズルを清潔に保つ清掃手段を有し、前記吸引手段を動作させ、前記吸引ノズルより手の表面に付着した水滴を吸引することにより、水滴の飛散を抑制するともに、前記清掃手段を動作させることにより、人の手が触れる前記吸引ノズルの表面を清潔に保つことできる手乾燥装置を提供できる。
【００３２】
また、吸引ノズル近傍に水吹出し口を有したものであり、前記水吹出し口より水を吹出しながら清掃手段を動作させ、前記吸引ノズルを清掃することにより、前記吸引ノズルを清潔に保つことできる手乾燥装置を提供できる。
【００３３】
また、吸引ノズル近傍に空気吹出し口を有したものであり、前記空気吹出し口より空気を吹出しながら清掃手段を動作させ、前記吸引ノズルを清掃することにより、前記吸引ノズルを清潔に保つことできる手乾燥装置を提供できる。
【００３４】
また、吸引ノズルの形状をベルト回転式にしたものであり、前記吸引ノズルを回転させながら清掃手段を動作させ、前記吸引ノズルを清掃し、前記吸引ノズルを清潔に保つことできる手乾燥装置を提供できる。
【００３５】
また、吸引ノズルの形状をベルト回転式にし、前記吸引ノズルを消毒する消毒槽を設け、前記吸引ノズルを消毒し、清潔に保つことができる手乾燥装置を提供できる。
【００３６】
また、吸引ノズルの表面に撥水処理を施したものであり、前記吸引ノズルに水分が付着しにくくなり、前記吸引ノズルを清潔に保つことができる手乾燥装置を提供できる。
【００３７】
また、吸引ノズルの表面に抗菌処理を施したものであり、前記吸引ノズルに細菌が繁殖し難くなり、前記吸引ノズルを清潔に保つことができる手乾燥装置を提供できる。
【００３８】
また、吸引ノズル近傍にオゾン発生装置を設けたものであり、オゾンを発生させ、細菌が繁殖し難くなり、前記吸引ノズルを清潔に保つことができる手乾燥装置を提供できる。
【００３９】
また、吸引ノズル近傍にマイナスイオン発生装置を設けたものであり、マイナスイオンを発生させ、細菌が繁殖し難くなり、前記吸引ノズルを清潔に保つことができる手乾燥装置を供給できる。
【００４０】
また、風路内部にオゾン発生装置を設けたものであり、オゾンを発生させることにより細菌が繁殖し難くなり、前記風路内部を清潔に保つことができる手乾燥装置を供給できる。
【００４１】
また、風路内部にマイナスイオン発生装置を設けたものであり、マイナスイオンを発生させることにより細菌が繁殖し難くなり、前記風路内部を清潔に保つことができる手乾燥装置を供給できる。
【００４２】
また、風路内部に殺菌灯を設けたものであり、紫外線を照射することにより細菌が繁殖し難くなり、前記風路内部を清潔に保つことができる手乾燥装置を提供できる。
【発明を実施するための最良の形態】
【００４３】
本発明の請求項１記載の発明は、本体内部に設けた吸引手段と、前記吸引手段に接続した風路と、前記風路に接続した吸引ノズルと、前記吸引ノズルの清掃手段を有し、前記吸引手段を動作させ、前記吸引ノズルより手の表面に付着した水滴を吸引することにより、水滴の飛散を抑制することができる作用と、前記清掃手段により、前記吸引ノズルを清潔に保つことできる作用を有する。
【００４４】
また、吸引ノズル近傍に水吹出し口を有したものであり、前記水吹出し口より水を吹出しながら清掃手段を動作させ、前記吸引ノズルを清掃することにより、前記吸引ノズルを清潔に保つことできる作用を有する。
【００４５】
また、吸引ノズル近傍に空気吹出し口を有したものであり、前記空気吹出し口より空気を吹出しながら清掃手段を動作させ、前記吸引ノズルを清掃することにより、前記吸引ノズルを清潔に保つことできる作用を有する。
【００４６】
また、吸引ノズルの形状をベルト回転式にしたものであり、前記吸引ノズルを回転させながら清掃手段を動作させ、前記吸引ノズルを清掃し、前記吸引ノズルを清潔に保つことできる作用を有する。
【００４７】
また、吸引ノズルの形状をベルト回転式にし、前記吸引ノズルを消毒する消毒槽を有したものであり、前記吸引ノズルを消毒し、清潔に保つことができる作用を有する。
【００４８】
また、吸引ノズルの表面に撥水処理を施したものであり、前記吸引ノズルに水分が付着しにくくなり、前記吸引ノズルを清潔に保つことができる作用を有する。
【００４９】
また、吸引ノズルの表面に抗菌処理を施したものであり、前記吸引ノズルに細菌が繁殖し難くなり、前記吸引ノズルを清潔に保つことができる作用を有する。
【００５０】
また、吸引ノズル近傍にオゾン発生装置を設けたものであり、オゾンを発生させ、細菌が繁殖し難くなり、前記吸引ノズルを清潔に保つことができる作用を有する。
【００５１】
また、吸引ノズル近傍にマイナスイオン発生装置を設けたものであり、マイナスイオンを発生させ、細菌が繁殖し難くなり、前記吸引ノズルを清潔に保つことができる作用を有する。
【００５２】
また、風路内部にオゾン発生装置を設けたものであり、オゾンを発生させることにより細菌が繁殖し難くなり、前記風路内部を清潔に保つことができる作用を有する。
【００５３】
また、風路内部にマイナスイオン発生装置を設けたものであり、マイナスイオンを発生させることにより細菌が繁殖し難くなり、前記風路内部を清潔に保つことができる作用を有する。
【００５４】
また、風路内部に殺菌灯を設けたものであり、紫外線を照射することにより細菌が繁殖し難くなり、前記風路内部を清潔に保つことができる作用を有する。
【００５５】
（実施の形態１）
図１に示すように、手乾燥装置１は内部に吸引手段２、たとえば吸引ポンプと、前記吸引手段２に接続した風路３と、前記風路３に接続した吸引ノズル４と、前記吸引ノズル４を清潔に保つ清掃手段５、たとえばブラシにより構成される。
【００５６】
上記構成において、吸引手段２を動作させ、吸引ノズル４より手の表面に付着した水滴を吸引することにより、手に付着した水滴が衣服や床へ飛散することを抑制できるとともに清掃手段５を動作させることにより前記吸引ノズル４を清潔に保つことができる。
【００５７】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００５８】
（実施の形態２）
次に、本発明の実施の形態２について図面を参照しながら説明する。なお，実施の形態１と同一のものは同一番号を付し、その詳細な説明を省略する。
【００５９】
図２に示すように、手乾燥装置１は内部に吸引手段２と、前記吸引手段２に接続した風路３と、前記風路３に接続した吸引ノズル４と、前記吸引ノズル４を清潔に保つ清掃手段５と、水吹出し口６により構成される。
【００６０】
上記構成において、吸引手段２を動作させ、吸引ノズル４より手の表面に付着した水滴を吸引することにより、手に付着した水滴が衣服や床へ飛散することを抑制できるとともに、水吹出し口６から水を吹出しながら清掃手段５を動作させることにより前記吸引ノズル４を清潔に保つことができる。
【００６１】
なお、本実施の形態２では，吸引ノズルが１個の手乾燥装置としているが、吸引ノズルを複数設け、手の両面より吸引する手乾燥装置においても同様の作用効果をもたらすことは言うまでもない。
【００６２】
（実施の形態３）
次に、本発明の実施の形態３について図面を参照しながら説明する。なお、実施の形態１、２と同一のものは同一番号を付し、その詳細な説明を省略する。
【００６３】
図３に示すように、手乾燥装置１は内部に吸引手段２と、前記吸引手段２に接続した風路３と、前記風路３に接続した吸引ノズル４と、前記吸引ノズル４を清潔に保つ清掃手段５と、空気吹出し口７により構成される。
【００６４】
上記構成において、吸引手段２を動作させ、吸引ノズル４より手の表面に付着した水滴を吸引することにより、手に付着した水滴が衣服や床へ飛散することを抑制できるとともに、空気吹出し口７から空気を吹出しながら清掃手段５を動作させることにより前記吸引ノズル４を清潔に保つことができる。
【００６５】
なお、本実施の形態３では、吸引ノズルが１個の手乾燥装置としているが、吸引ノズルを複数設け、手の両面より吸引する手乾燥装置においても同様の作用効果をもたらすことは言うまでもない。
【００６６】
（実施の形態４）
次に、本発明の実施の形態４について図面を参照しながら説明する。なお、実施の形態１、２、３と同一のものは同一番号を付し、その詳細な説明を省略する。
【００６７】
図４に示すように、手乾燥装置１は内部に吸引手段２と、前記吸引手段２に接続した風路３と、前記風路３に接続したベルト回転式吸引ノズル８と、前記ベルト回転式吸引ノズル８を清掃する清掃手段５により構成される。
【００６８】
上記構成において、ベルト回転式吸引ノズル８を回転させながら清掃手段５を動作させ、前記ベルト回転式吸引ノズル８を清掃し、前記ベルト回転式吸引ノズル８を清潔に保つことできる。
【００６９】
なお、本実施の形態４では、吸引ノズルが１個の手乾燥装置としているが、吸引ノズルを複数設け、手の両面より吸引する手乾燥装置においても同様の作用効果をもたらすことは言うまでもない。
【００７０】
（実施の形態５）
次に、本発明の実施の形態５について図面を参照しながら説明する。なお、実施の形態１、２、３、４と同一のものは同一番号を付し、その詳細な説明を省略する。
【００７１】
図５に示すように、手乾燥装置１は内部に吸引手段２と、前記吸引手段２に接続した風路３と、前記風路３に接続したベルト回転式吸引ノズル８と、前記ベルト回転式吸引ノズル８を消毒、たとえば熱湯消毒する消毒槽９により構成される。
【００７２】
上記構成において、ベルト回転式吸引ノズル８の表面が汚れた時に、前記ベルト回転式吸引ノズル８を回転させ、消毒槽９により消毒された清潔な面に替えることができ、前記ベルト回転式吸引ノズル８の表面を清潔にすることができる。
【００７３】
なお、本実施の形態５では、吸引ノズルが１個の手乾燥装置としているが、吸引ノズルを複数設け、手の両面より吸引する手乾燥装置においても同様の作用効果をもたらすことは言うまでもない。
【００７４】
（実施の形態６）
次に、本発明の実施の形態６について図面を参照しながら説明する。なお、実施の形態１、２、３、４、５と同一のものは同一番号を付し、その詳細な説明を省略する。
【００７５】
図６に示すように、手乾燥装置１は内部に吸引手段２と、前記吸引手段２に接続した風路３と、前記風路３に接続した撥水処理、たとえばフッ素コーティングされた撥水処理吸引ノズル１０により構成される。
【００７６】
上記構成において、撥水処理吸引ノズル１０には水分が付着しにくく、雑菌の繁殖が抑えられ、清潔に保つことができる。
【００７７】
なお、本実施の形態６では、吸引ノズルが１個の手乾燥装置としているが、吸引ノズルを複数設け、手の両面より吸引する手乾燥装置においても同様の作用効果をもたらすことは言うまでもない。
【００７８】
（実施の形態７）
次に、本発明の実施の形態７について図面を参照しながら説明する。なお、実施の形態１、２、３、４、５、６と同一のものは同一番号を付し、その詳細な説明を省略する。
【００７９】
図７に示すように、手乾燥装置１は内部に吸引手段２と、前記吸引手段２に接続した風路３と、前記風路３に接続した抗菌処理、たとえば銀イオン処理された抗菌処理吸引ノズル１１により構成される。
【００８０】
上記構成において、抗菌処理吸引ノズル１１では雑菌の繁殖が抑えられ、清潔に保つことができる。
【００８１】
なお、本実施の形態６では、吸引ノズルが１個の手乾燥装置としているが、吸引ノズルを複数設け、手の両面より吸引する手乾燥装置においても同様の作用効果をもたらすことは言うまでもない。
【００８２】
（実施の形態８）
次に、本発明の実施の形態８について図面を参照しながら説明する。なお、実施の形態１、２、３、４、５、６、７と同一のものは同一番号を付し、その詳細な説明を省略する。
【００８３】
図８に示すように、手乾燥装置１は内部に吸引手段２と、前記吸引手段２に接続した風路３と、前記風路３に接続した吸引ノズル４と、前記吸引ノズル４の近傍に設置されたオゾン発生装置１２により構成される。
【００８４】
上記構成において、オゾン発生装置１２を動作させることにより発生したオゾンが、吸引ノズル４での雑菌の繁殖を抑制し、前記吸引ノズル４を清潔に保つことができる。
【００８５】
（実施の形態９）
次に、発明の実施の形態９について図面を参照しながら説明する。なお、施の形態１、２、３、４、５、６、７、８と同一のものは同一番号を付し、その詳細な説明を省略する。
【００８６】
図９に示すように、手乾燥装置１は内部に吸引手段２と、前記吸引手段２に接続した風路３と、前記風路３に接続した吸引ノズル４と、前記吸引ノズル４の近傍に設置されたマイナスイオン発生装置１３により構成される。
【００８７】
上記構成において、マイナスイオン発生装置１３を動作させることにより発生したマイナスイオンが、吸引ノズル４での雑菌の繁殖を抑制し、前記吸引ノズル４を清潔に保つことができる。
【００８８】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００８９】
図１０に示すように、手乾燥装置１は内部に吸引手段２と、前記吸引手段２に接続した風路３と、前記風路３に接続した吸引ノズル４と、前記風路３の内部に設置されたオゾン発生装置１２により構成される。
【００９０】
上記構成において、オゾン発生装置１２を動作させることにより発生したオゾンが、風路３内部での雑菌の繁殖を抑制し、前記風路３内部を清潔に保つことができる。
【００９１】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００９２】
図１１に示すように、手乾燥装置１は内部に吸引手段２と、前記吸引手段２に接続した風路３と、前記風路３に接続した吸引ノズル４と、前記風路３の内部に設置されたマイナスイオン発生装置１３により構成される。
【００９３】
上記構成において、マイナスイオン発生装置１３を動作させることにより発生したマイナスイオンが、風路３内部での雑菌の繁殖を抑制し、前記風路３内部を清潔に保つことができる。
【００９４】
（実施の形態１２）
次に、本発明の実施の形態１２について図面を参照しながら説明する。なお、実施の形態１、２、３、４、５、６、７、８、９、１０、１１と同一のものは同一番号を付し、その詳細な説明を省略する。
【００９５】
図１２に示すように、手乾燥装置１は内部に吸引手段２と、前記吸引手段２に接続した風路３と、前記風路３に接続した吸引ノズル４と、前記風路３の内部に設置された殺菌灯１４により構成される。
【００９６】
上記構成において、殺菌灯１４を点灯させることにより発生した紫外線が、風路３内部での雑菌の繁殖を抑制し、前記風路３内部を清潔に保つことができる。
【産業上の利用可能性】
【００９７】
水滴の飛散を防止した乾燥ができることにより、水洗いした後の乾燥手法において、水滴の飛散を防止した乾燥を行うことができる。
【図面の簡単な説明】
【００９８】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５の手乾燥装置の構成を示す概略図
【図６】本発明の実施の形態６の手乾燥装置の構成を示す概略図
【図７】本発明の実施の形態７の手乾燥装置の構成を示す概略図
【図８】本発明の実施の形態８の手乾燥装置の構成を示す概略図
【図９】本発明の実施の形態９の手乾燥装置の構成を示す概略図
【図１０】本発明の実施の形態１０の手乾燥装置の構成を示す概略図
【図１１】本発明の実施の形態１１の手乾燥装置の構成を示す概略図
【図１２】本発明の実施の形態１２の手乾燥装置の構成を示す概略図
【図１３】従来の手乾燥装置の構成を示す概略図
【符号の説明】
【００９９】
１    手乾燥装置
２    吸引手段
３    風路
４    吸引ノズル
５    清掃手段
６    水吹出し口
７    空気吹出し口
８    ベルト回転式吸引ノズル
９    消毒槽
１０  撥水処理吸引ノズル
１１  抗菌処理吸引ノズル
１２  オゾン発生装置
１３  マイナスイオン発生装置
１４  殺菌灯
【図１】
2007229354.tif 000003
【図２】
2007229354.tif 000004
【図３】
2007229354.tif 000005
【図４】
2007229354.tif 000006
【図５】
2007229354.tif 000007
【図６】
2007229354.tif 000008
【図７】
2007229354.tif 000009
【図８】
2007229354.tif 000010
【図９】
2007229354.tif 000011
【図１０】
2007229354.tif 000012
【図１１】
2007229354.tif 000013
【図１２】
2007229354.tif 000014
【図１３】
2007229354.tif 000015